(57)【要約】      （修正有）【課題】容易に着脱することができ、また、帯革の損傷を減らすことができるベルトを提供する。【解決手段】長さ方向に沿って複数並んだ小孔１１を有する帯革１０の一端部に、尾錠２０が連結軸部２１を中心軸として起伏可能に取り付けられている。尾錠２０は、連結軸部２１の両端部から同じ方向に延びる一対の側枠部２２と、一対の側枠部の端部同士を連結する支持枠部２３とを有する。支持枠部中央の連結軸部側の縁部に、係止突起２４が一体形成され、係止突起が連結軸部に向かって、かつ尾錠の裏面へ向かって突出している。係止突起２４は突出端に側枠部２２の長さ方向両側へ突出する返し部２４ａと、支持枠部２３の尾錠表面から突出する膨出部２４ｂを有する。【選択図】図１
0003208196.tif 000002
【実用新案登録請求の範囲】
【請求項１】
長さ方向に沿って複数並んだ小孔を有する帯革と、その帯革の一端部に取り付けられる連結軸部を有する枠状の尾錠を備え、前記尾錠がその連結軸部を中心軸として前記帯革の一端部で起伏可能に取り付けられるベルトであって、
前記尾錠は、前記帯革の幅方向に延びる前記連結軸部と、その連結軸部の両端部から同じ方向に延びる一対の側枠部と、前記一対の側枠部の前記連結軸部と反対側の端部を連結する支持枠部とを有し、
前記支持枠部が前記帯革の小孔に挿し込まれる係止突起を有し、その係止突起が前記尾錠の表面側から裏面側へ向かう方向に突出しているベルト。
【請求項２】
前記係止突起が前記連結軸部に向かって突出しており、その係止突起は、前記側枠部の長さ方向両方向へ突出する返し部を有する請求項１に記載のベルト。
【請求項３】
前記係止突起が前記支持枠部の中央に位置し、前記係止突起は、前記支持枠部の前記尾錠の表面から突出する膨出部を有する請求項１または２に記載のベルト。
【考案の詳細な説明】
【技術分野】
【０００１】
この考案は、ズボンやスカート等を穿く際に、その胴部に巻き回して使用されるベルトに関する。
【背景技術】
【０００２】
従来から、ズボンやスカートなどを穿く際に、その胴部に巻き回すようにしてベルトが使用されている。このベルトは、図４に示すように、長さ方向に沿って複数並んだ小孔３１を有する帯革３０と、その帯革３０の一端部３０ａに取り付けられる連結軸部４１を有する枠状の尾錠４０を備える。
【０００３】
尾錠４０を備えるベルトとしては、その尾錠４０が連結軸部４１を中心軸として帯革３０の一端部３０ａに起伏可能に取り付けられ、連結軸部４１の中央に係止ピン４２が回動可能に取り付けられているものが知られている（例えば、特許文献１の図１参照）。
【０００４】
特許文献１に記載されたベルトは、使用者が穿くズボンやスカートなどの胴部に帯革３０を巻き回し、尾錠４０の内部に帯革３０の他端部となる剣先３０ｂを挿し込み、帯革３０の一つの小孔３１に係止ピン４２を挿し込んで、尾錠４０から帯革３０が抜け出ないように係止している。
【先行技術文献】
【特許文献】
【０００５】
【特許文献１】特開２００３−０６１７１１号公報
【考案の概要】
【考案が解決しようとする課題】
【０００６】
特許文献１に記載されたベルトは、図５（ａ）に示すように、帯革３０の一つの小孔３１に尾錠４０の係止ピン４２を挿し込む際、帯革３０は、係止ピン４２を挿し込む小孔３１の位置で折り返す必要があった。
【０００７】
続いて、小孔３１に係止ピン４２を挿し込んだ後、図５（ｂ）に示すように、帯革３０の剣先３０ｂ寄りの部分を撓ませて、帯革３０の定革３２に剣先３０ｂを挿し込む必要があった。
【０００８】
さらに、ベルトをズボンやスカートなどの胴部から外す際にも、帯革３０は、剣先３０ｂ寄りの部分を撓ませて、剣先３０ｂを定革３２から抜き取り、その後、係止ピン４２を挿し込んだ小孔３１の位置で折り返して、小孔３１から係止ピン４２を抜き出す必要があった。
【０００９】
このように特許文献１に記載されたベルトは、着脱時、帯革３０を折り返したり、撓ませたりするので、帯革３０の損傷、特に小孔３１の周囲の損傷が激しくなるという問題があった。
【００１０】
また、着脱時、帯革３０を折り返すことによって、係止ピン４２を小孔３１に挿し込んだり、小孔３１から抜き出したりする必要があるので、使用者の穿くズボンやスカートなどを胴部に対して容易に着脱することが難しい。
【００１１】
そこで、この考案の課題は、容易に着脱することができ、また、帯革の損傷を減らすことができるベルトを提供することを目的とする。
【課題を解決するための手段】
【００１２】
前記の課題を解決するために、この考案は、長さ方向に沿って複数並んだ小孔を有する帯革と、その帯革の一端部に取り付けられる連結軸部を有する枠状の尾錠を備え、前記尾錠がその連結軸部を中心軸として前記帯革の一端部で起伏可能に取り付けられるベルトであって、前記尾錠は、前記帯革の幅方向に延びる前記連結軸部と、その連結軸部の両端部から同じ方向に延びる一対の側枠部と、前記一対の側枠部の前記連結軸部と反対側の端部を連結する支持枠部とを有し、前記支持枠部が前記帯革の小孔に挿し込まれる係止突起を有し、その係止突起が前記尾錠の表面側から裏面側へ向かう方向に突出している構成を採用することができる。
【００１３】
この構成では、使用者が穿くズボンやスカートなどの胴部に帯革を巻き回し、帯革に対して起立させた尾錠の内部に帯革の他端部を挿し入れ、尾錠を倒して係止突起を一つの小孔に挿し込むことができる。このため、帯革を撓ませたり、折り曲げたりすることなく、尾錠の起伏によって、ベルトを容易に着脱することができる。
【００１４】
前記係止突起が前記連結軸部に向かって突出しており、その係止突起は、前記側枠部の長さ方向両方向へ突出する返し部を有する構成を採用することができる。
【００１５】
この構成では、尾錠の内部に帯革の他端部を挿し入れ、尾錠を倒して係止突起を小孔に挿し込むと、係止突起の返し部により、帯革の小孔から係止突起が抜け出にくくなる。
【００１６】
また、前記係止突起が前記支持枠部の中央に位置し、前記係止突起は、前記支持枠部の前記尾錠の表面から突出する膨出部を有する構成を採用することができる。
【００１７】
係止突起が尾錠の表面から突出する膨出部を有するので、その膨出部が上述した係止ピンを有する尾錠における帯革の小孔に挿し込んだ係止ピンの一部のように見える。
【考案の効果】
【００１８】
以上のように、この考案は、ベルトの着脱時、帯革を撓ませたり、折り曲げたりする必要がないので、容易に着脱することができ、また、帯革の損傷を減らすことができる。
【図面の簡単な説明】
【００１９】
【図１】この考案の第一実施形態に係るベルトの斜視図
【図２】（ａ）同上のベルトの尾錠を示す正面図、（ｂ）図２（ａ）のｂ−ｂ線における断面図
【図３】（ａ）同上のベルトの使用前の状態を示す一部切り欠き断面図、（ｂ）同上のベルトの使用中の状態を示す一部切り欠き断面図、（ｃ）同上のベルトの使用後の状態を示す一部切り欠き断面図
【図４】従来のベルトを示す一部切り欠き正面図
【図５】（ａ）同上のベルトの帯革を折り返した状態を示す一部切り欠き断面図、（ｂ）同上のベルトの帯革を撓ませた状態を示す一部切り欠き断面図
【考案を実施するための形態】
【００２０】
以下、この考案の実施形態に係るベルトを添付図面の図１〜図３に基づいて説明する。この実施形態に係るベルト１は、長さ方向に沿って複数並んだ小孔１１を有する帯革１０と、その帯革１０の一端部１０ａに取り付けられる連結軸部２１を有する枠状の尾錠２０を備えている。その尾錠２０がその連結軸部２１を中心軸として帯革１０の一端部１０ａで起伏可能に取り付けられている。
【００２１】
帯革１０は、長さ方向の一端を折り返して形成された一端部１０ａと、長さ方向の他端に向かって幅方向内向きに尖る他端部となる剣先１０ｂとを有する。帯革１０の一端部１０ａ寄りに環状の定革１２が固定金具１３により固定されている。帯革１０の剣先１０ｂ寄りに長さ方向に等間隔に並ぶ小孔１１が複数形成されている。
【００２２】
帯革１０の素材としては、可撓性を有するもの、例えば、天然皮革、合成皮革、人工皮革などを使用することが可能である。
【００２３】
定革１２は、帯革１０に通した状態で固定金具１３により固定されており、帯革１０の表面側に帯革１０の剣先１０ｂを挿し込むことが可能な周長を有している。また、定革１２は、天然皮革、合成皮革、人工皮革などを環状に縫製したものであり、帯革１０と同素材、かつ同色であることが好ましい。
【００２４】
なお、帯革１０の表面とは、ベルト１を使用した状態で外部から視認することができる面を意味し、帯革１０の裏面とは、帯革１０の表面に対して反対側の面を意味する。
【００２５】
固定金具１３は、帯革１０の表面上に位置する基板部１４と、基板部１４の帯革１０の幅方向両側に形成され、帯革１０の裏面側へ延びる一対の軸受片部１４ａと、一対の軸受片部１４ａにより開閉可能に支持されるフラップ部１５とを有する。
【００２６】
基板部１４は、定革１２よりも帯革１０の長さ方向の幅が大きく形成され、帯革１０の長さ方向他端側に一対の軸受片部１４ａが一体に形成されている。一対の軸受片部１４ａは、帯革１０の幅方向に向かって相互に対向し、フラップ部１５に形成された一対の回転軸部１５ａが回転可能に保持されている。
【００２７】
フラップ部１５は、帯革１０の裏面側に位置し帯革１０の幅方向外向きに延びる一対の回転軸部１５ａと、フラップ部１５に対して直角に延びる食い込み片部１５ｂとを有する。また、フラップ部１５は、帯革１０の幅とほぼ同じ幅に形成され、食い込み片部１５ｂも同じ幅に形成され、一対の軸受片部１４ａに保持される一対の回転軸部１５ａを回転中心として、基板部１４に対して開閉可能に支持されている。
【００２８】
固定金具１３は、フラップ部１５が開かれ、定革１２が基板部１４の周りに位置する状態で、帯革１０の一端部１０ａが基板部１４とフラップ部１５との間に挿入される。帯革１０が挿入される固定金具１３は、フラップ部１５が閉じられることにより、食い込み片部１５ｂが帯革１０に食い込み、定革１２を保持した状態で固定金具１３が帯革１０の一端部１０ａに固定される。
【００２９】
尾錠２０は、矩形の枠状をなし、帯革１０の一端部１０ａに取り付けられる連結軸部２１と、連結軸部２１の両端部から同じ方向に延びる一対の側枠部２２、２２と、一対の側枠部２２、２２の連結軸部２１と反対側の端部同士を連結する支持枠部２３とを有する。
【００３０】
連結軸部２１は、帯革１０の一端部１０ａの折り返し部分の内部に帯革１０の幅方向に挿し込まれている。連結軸部２１は、一対の側枠部２２、２２に対して、帯革１０の裏側寄りに位置している。
【００３１】
一対の側枠部２２、２２は、断面矩形の軸体からなり、長さ方向の中央部分であって、尾錠２０の裏面を形成する面が、尾錠２０の表面側に向かって凹む湾曲面となっている。
【００３２】
なお、尾錠２０の表面および尾錠２０の裏面とは、尾錠２０が帯革１０に対して起立した状態（起立状態）から、帯革１０の長さ方向に沿って倒伏した状態（倒伏状態）において、帯革１０の表面と同じ方向を向く面、および帯革１０の裏面と同じ方向を向く面を意味する。
【００３３】
支持枠部２３は、一対の側枠部２２、２２の尾錠２０の表面側に位置し、その中央の連結軸部２１側の縁部に係止突起２４を有する。支持枠部２３の尾錠２０の表面を形成する面が一対の側枠部２２、２２の尾錠２０の表面を形成する面と同一面上に位置している。
【００３４】
係止突起２４は支持枠部２３に一体に形成されており、連結軸部２１に向かって、かつ尾錠２０の裏面へ向かって突出している。また、係止突起２４は、その突出端に前記側枠部２２の長さ方向両側へ突出する返し部２４ａと、支持枠部２３の尾錠２０の表面から突出する膨出部２４ｂを有している。
【００３５】
係止突起２４は、帯革１０の小孔１１に挿し込むことができる周長を有する。返し部２４ａは、帯革１０の小孔１１を押し広げて挿入できる幅（側枠部の長さ方向の幅）を有する。
【００３６】
なお、係止突起２４は、尾錠２０が倒伏状態において、帯革１０の小孔１１に挿し込むことができれば、連結軸部２１に向かって突出させずに、尾錠２０の裏面へ向かう向きにのみ突出させてもよい。
【００３７】
この実施形態に係るベルト１は、以上のように構成される。次に、ベルト１の使用方法について説明する。まず、例えば、使用者が穿いたズボン等（図示省略）の胴回りに取り付けられた複数のベルトループに剣先１０ｂから帯革１０を通す。
【００３８】
続いて、帯革１０をズボンの胴回りに巻き回して尾錠２０を使用者の前側に位置させ、図３（ａ）に示すように、尾錠２０を帯革１０に対して起立させた状態にする。起立状態の尾錠２０の内部に帯革１０の剣先１０ｂを挿通させるとともに、定革１２内にも挿通させる。
【００３９】
さらに、図３（ｂ）に示すように、帯革１０の剣先１０ｂを引いて、帯革１０によりズボンの胴回りを締め付ける程度に絞った状態で、起立状態の尾錠２０を倒伏させるとともに、尾錠２０の係止突起２４を帯革１０の一つの小孔１１に挿通させる。
【００４０】
このとき、係止突起２４は返し部２４ａを有するので、返し部２４ａにより小孔１１を押し広げつつ挿通させることができ、挿通後は、帯革１０の小孔１１から抜け出にくくなる。
【００４１】
また、係止突起２４は膨出部２４ｂを有するので、図３（ｃ）に示す状態において、その膨出部２４ｂが、上述した係止ピンを有する尾錠における係止ピンの一部のように見える。
【００４２】
このように、本実施形態のベルト１は使用者の穿くズボン等を締め付けることができる。一方、ベルト１を外すには、上述の使用方法に対して逆の方法で外せばよい。具体的には、まず、尾錠２０を起立させて、係止突起２４を帯革１０の小孔１１から抜き出した後、尾錠２０から剣先１０ｂを抜き出すようにすればよい。
【００４３】
以上のように、本実施形態に係るベルト１は、帯革１０を撓ませたり、折り曲げたりする必要がなく、尾錠２０の起伏により、容易に着脱することができる。また、着脱による帯革１０、特に小孔１１の周辺の損傷を減らすことができる。
【符号の説明】
【００４４】
１  ベルト
１０、３０  帯革
１０ａ、３０ａ  一端部
１０ｂ、３０ｂ  剣先
１１、３１  小孔
１２、３２  定革
１３  固定金具
１４  基板部
１４ａ  軸受片部
１５  フラップ部
１５ａ  回転軸部
１５ｂ  食い込み片部
２０、４０  尾錠
２１、４１  連結軸部
２２  側枠部
２３  支持枠部
２４  係止突起
２４ａ  返し部
２４ｂ  膨出部
４２  係止ピン
【図１】
0003208196.tif 000003
【図２】
0003208196.tif 000004
【図３】
0003208196.tif 000005
【図４】
0003208196.tif 000006
【図５】
0003208196.tif 000007